(57)【特許請求の範囲】
【請求項１】
特定色の補正が行われた原稿か否かを判別する判別手段と、
前記判別手段による判別結果に応じて補正パラメータを設定する設定手段と、
前記設定された補正パラメータを用いて前記原稿に対する補正を行なう補正手段とを備え、
前記設定手段は、前記判別手段により特定色の補正が行なわれていない原稿と判別された場合、前記特定色の補正を行なうための第１のパラメータを設定し、前記判別手段により特定色の補正が行なわれた原稿と判別された場合、前記第１のパラメータとは異なる第２のパラメータを設定する、画像処理装置。
【請求項２】
前記第２のパラメータは、前記原稿を忠実に再現するためのパラメータであることを特徴とする、請求項１に記載の画像処理装置。
【請求項３】
前記判別手段により特定色の補正が行なわれた原稿と判別された場合、前記特定色の補正を行なうか否かをユーザに選択させる選択手段をさらに備え、
前記設定手段は、前記選択手段による選択結果に基づいて、補正パラメータを設定することを特徴とする、請求項１に記載の画像処理装置。
【請求項４】
前記判別手段は、前記原稿がジェネレーションコピーでないと判別した場合に、特定色の補正が行なわれていない原稿であるとみなし、前記原稿がジェネレーションコピーであると判別した場合に、特定色の補正が行なわれた原稿であるとみなすことを特徴とする、請求項１〜３のいずれかに記載の画像処理装置。
【請求項５】
前記補正手段により前記第１のパラメータを用いて前記原稿に対する補正が行われた場合に、当該原稿から出力されるコピーに対してジェネレーションパターンを付加するジェネレーションパターン付加手段と、
原稿からジェネレーションパターンを検出するジェネレーションパターン検出手段と、をさらに備え、
前記判別手段は、前記ジェネレーションパターンが検出されなかった場合に、前記原稿がジェネレーションコピーでないと判別し、前記ジェネレーションパターンが検出された場合に、前記原稿がジェネレーションコピーであると判別することを特徴とする、請求項４に記載の画像処理装置。
【請求項６】
前記特定色は、記憶色であることを特徴とする、請求項１〜５のいずれかに記載の画像処理装置。
【請求項７】
画像処理装置を用いた画像処理方法であって、
特定色の補正が行われた原稿か否かを判別するステップと、
前記特定色の補正が行なわれていない原稿と判別した場合に、前記特定色の補正を行なうための第１のパラメータを設定し、前記特定色の補正が行なわれた原稿と判別した場合に、前記第１のパラメータとは異なる第２のパラメータを設定するステップと、
前記設定されたパラメータを用いて前記原稿に対する補正を行なうステップと、を備える、画像処理装置を用いた画像処理方法。
【請求項８】
前記第２のパラメータは、前記原稿を忠実に再現するためのパラメータであることを特徴とする、請求項７に記載の画像処理方法。
【請求項９】
特定色の補正が行なわれた原稿と判別された場合に、前記特定色の補正を行なうか否かについてのユーザによる選択を受け付けるステップをさらに備え、
前記設定するステップは、前記選択結果に基づいて、前記第１および第２のパラメータのいずれか一方を設定することを特徴とする、請求項７に記載の画像処理方法。
【請求項１０】
前記判別するステップは、前記原稿がジェネレーションコピーでないと判別した場合に、特定色の補正が行なわれていない原稿であるとみなし、前記原稿がジェネレーションコピーであると判別した場合に、特定色の補正が行なわれた原稿であるとみなすステップを含むことを特徴とする、請求項７〜９のいずれかに記載の画像処理方法。
【請求項１１】
前記第１のパラメータを用いて前記原稿に対する補正が行われた場合に、当該原稿から出力されるコピーに対してジェネレーションパターンを付加するステップと、
原稿からジェネレーションパターンを検出するステップと、をさらに備え、
前記判別するステップは、前記ジェネレーションパターンが検出されなかった場合に、前記原稿がジェネレーションコピーでないと判別し、前記ジェネレーションパターンが検出された場合に、前記原稿がジェネレーションコピーであると判別するステップを含むことを特徴とする、請求項１０に記載の画像処理方法。
【請求項１２】
前記特定色は、記憶色であることを特徴とする、請求項７〜１１のいずれかに記載の画像処理方法。
【発明の詳細な説明】
【０００１】
【発明の属する技術分野】
本発明は画像処理装置に関し、特に、ジェネレーションコピー時に記憶色等の特定色に対する補正を再度行なうことにより生じる画質劣化を軽減する画像処理装置に関する。
【０００２】
【従来の技術】
一般に同じ色でも、観察する地域（人種）、天候、照明、その他の観察条件に応じて見え方は異なる。このため、再現された画像全体が観察者に与える印象もこれら観察条件に応じて異なるものとなる。
【０００３】
中でも特に、記憶色と呼ばれる人間の肌色、空の青、草木の緑などの人の記憶に残り易い特定の色は、これに対する観察者の目が敏感であるため、上記観察条件の差による影響を受け易い。
【０００４】
また、同じ記憶色を同じ条件下で観察した場合であっても、観察者が好ましいと感じる色は画像自体の内容によっても異なる。たとえば夏の空の画像と、冬の空の画像とでは、それぞれの空の青に対して観察者がイメージする色が異なり、したがって、好ましいと感じる色も異なる。
【０００５】
このため、複写機等に用いられる画像処理装置においては、従来から、記憶色を観察者が好ましいと感じるような色に補正し所望の画像を得るという方法（以下、「記憶色補正」という）が採用されている。
【０００６】
【発明が解決しようとする課題】
しかしながら、従来の記憶色補正によると、いわゆるジェネレーションコピーを行なう際には、好みの色が再現できず、却って不自然な画像が出力されるという問題が生じていた。
【０００７】
即ち、ジェネレーションコピーを行なう場合は、既にコピー対象である原稿には記憶色補正が行なわれている。したがって、このような原稿に対して再度記憶色補正を行なうと、記憶色が好みの色と異なってしまったり、あるいは、記憶色とそれ以外の色との境界が目立ち擬似輪郭と呼ばれるテクスチャが発生したりする場合があった。
【０００８】
本発明はかかる実状に鑑み考え出されたものであり、その目的は、特定色に対する補正の有無に関わらず、常に所望の画像を再現することのできる画像処理装置を提供することである。
【０００９】
【課題を解決するための手段】
上記目的を達成するため、本発明のある局面に従うと、画像処理装置は、特定色の補正が行われた原稿か否かを判別する判別手段と、判別手段による判別結果に応じて補正パラメータを設定する設定手段と、設定された補正パラメータを用いて原稿に対する補正を行なう補正手段とを備え、設定手段は、判別手段により特定色の補正が行なわれていない原稿と判別された場合、特定色の補正を行なうための第１のパラメータを設定し、判別手段により特定色の補正が行なわれた原稿と判別された場合、第１のパラメータとは異なる第２のパラメータを設定する。
この発明に従うと、まず、画像処理の対象となる原稿が、既に特定色の補正が行なわれた原稿であるか否かが判別される。そして、その判別結果に応じて、補正パラメータが適切に設定され、その補正パラメータが用いられて原稿に対する補正が行なわれる。このため、特定色の補正の有無に関係なく同一の補正パラメータを使用することによる再現画像の画質劣化等を軽減することが可能となる。
したがって、特定色に対する補正の有無に関わらず、常に所望の画像を再現することのできる画像処理装置を提供することが可能となる。
そして、画像処理の対象となる原稿が既に特定色の補正が行なわれていない原稿である場合は、特定色の補正を行なうための第１のパラメータが設定され、特定色の補正が行なわれた原稿である場合は、第１のパラメータとは異なる第２のパラメータが設定される。特定色に対する補正の有無に応じた適切な補正パラメータが設定されることにより、原稿に対する補正が適切に行われることになる。
【００１０】
好ましくは、第２のパラメータは、原稿を忠実に再現するためのパラメータであることを特徴とする。
これによると、特定色の補正が既に行なわれた原稿に対しては、その原稿を忠実に再現するための補正パラメータが設定される。したがって、再び特定色の補正が行なわれることによる、色味の不自然さや擬似輪郭の発生といった画質劣化が防止される。
【００１１】
また、好ましくは、画像処理装置は、判別手段により特定色の補正が行なわれた原稿と判別された場合、特定色の補正を行なうか否かをユーザに選択させる選択手段をさらに備え、設定手段は、選択手段による選択結果に基づいて、補正パラメータを設定することを特徴とする。
これによると、既に特定色の補正が行なわれた原稿に対しては、特定色の補正を行なうか否かがユーザにより選択されることになる。したがって、よりユーザの希望通りに画像を再現することが可能となる。
【００１２】
また、好ましくは、判別手段は、原稿がジェネレーションコピーでないと判別した場合に、特定色の補正が行なわれていない原稿であるとみなし、原稿がジェネレーションコピーであると判別した場合に、特定色の補正が行なわれた原稿であるとみなす。
【００１３】
また、好ましくは、画像処理装置は、補正手段により第１のパラメータを用いて原稿に対する補正が行われた場合に、当該原稿から出力されるコピーに対してジェネレーションパターンを付加するジェネレーションパターン付加手段と、原稿からジェネレーションパターンを検出するジェネレーションパターン検出手段と、をさらに備え、判別手段は、ジェネレーションパターンが検出されなかった場合に、原稿がジェネレーションコピーでないと判別し、ジェネレーションパターンが検出された場合に、原稿がジェネレーションコピーであると判別する。
【００１４】
また、好ましくは、画像処理装置において、特定色は、記憶色であることを特徴とする。記憶色は、人の記憶に残りやすく印象を受け易い色であるため、これに対する適切な処理を行なうことにより、より確実にユーザの所望する画像を得ることが可能となる。
【００１５】
本発明の別の局面に従うと、画像処理装置を用いた画像処理方法であって、特定色の補正が行われた原稿か否かを判別するステップと、特定色の補正が行なわれていない原稿と判別した場合に、特定色の補正を行なうための第１のパラメータを設定し、特定色の補正が行なわれた原稿と判別した場合に、第１のパラメータとは異なる第２のパラメータを設定するステップと、設定されたパラメータを用いて原稿に対する補正を行なうステップと、を備える。
【００１６】
また、好ましくは、第２のパラメータは、原稿を忠実に再現するためのパラメータであることを特徴とする。
【００１７】
また、好ましくは、画像処理方法は、特定色の補正が行なわれた原稿と判別された場合に、特定色の補正を行なうか否かについてのユーザによる選択を受け付けるステップをさらに備え、設定するステップは、選択結果に基づいて、第１および第２のパラメータのいずれか一方を設定することを特徴とする。
また、好ましくは、判別するステップは、原稿がジェネレーションコピーでないと判別した場合に、特定色の補正が行なわれていない原稿であるとみなし、原稿がジェネレーションコピーであると判別した場合に、特定色の補正が行なわれた原稿であるとみなすステップを含むことを特徴とする。
【００１８】
また、好ましくは、画像処理方法は、第１のパラメータを用いて原稿に対する補正が行われた場合に、当該原稿から出力されるコピーに対してジェネレーションパターンを付加するステップと、原稿からジェネレーションパターンを検出するステップと、をさらに備え、判別するステップは、ジェネレーションパターンが検出されなかった場合に、原稿がジェネレーションコピーでないと判別し、ジェネレーションパターンが検出された場合に、原稿がジェネレーションコピーであると判別するステップを含むことを特徴とする。
また、好ましくは、特定色は、記憶色であることを特徴とする。
【００１９】
【発明の実施の形態】
次に、本発明の実施の形態を、図面に基づいて説明する。
【００２０】
［第１の実施の形態］
図１は、本発明の第１の実施の形態における画像処理装置の全体構成を示す図である。図１を参照して、画像処理装置は、対象となる原稿を読取るＣＣＤ１０１と、読取られた原稿のカラー画像に対して、種々の処理を行なう画像処理部１００と、画像処理部１００により処理が施された後の画像データをプリンタに出力するためのプリンタＩ／Ｆ部１１３と、記憶色補正のための条件入力等をするためのパネル部１１４と、原稿のカラー画像からジェネレーションパターンを検出するジェネレーションパターン検出部１１６と、パネル部１１４からの入力データやジェネレーションパターン検出部１１６からの検出結果に応じて補正パラメータを設定等するＣＰＵ１１５と、画像処理部１００から出力されたデータにジェネレーションパターンを付加するジェネレーションパターン付加部１１７と、を備えている。
【００２１】
画像処理部１００は、ＣＣＤ１０１で読取られた偶数の画像データと奇数の画像データとを合成する画像合成部１０２と、画像合成部１０２で合成されたＲＧＢのアナログ画像データをデジタルデータに変換するＡ／Ｄ変換部１０３と、シェーディング補正部１０４、ライン間補正部１０５および色収差補正部１０６の各種補正部と、画像の変倍や移動処理を行なう変倍・移動処理部１０７と、色変換部１０８、１０９と、色補正部１１０と、文字・写真等の領域を判別する領域判別部１１１と、領域判別部１１１による判別結果に基づいてＭＴＦ補正を行なうＭＴＦ補正部１１２と、を含んでいる。
【００２２】
画像処理部１００における画像データの流れを説明すると、次のようになる。まず、ＲＧＢのカラー画像データとしてＣＣＤ１０１により読取られたデータは、デジタルデータに変換され、必要な補正処理等が行なわれた後、色変換部１０８に入力される。
【００２３】
色変換部１０８に入力されたＲＧＢデータは、ここでＶＣｒＣｂ色空間で表わされるデータ（ＶＣｒＣｂデータ）に一旦色変換される。この際、色変換部１０８では、ＣＰＵ１１５で設定された、明度、彩度、色相の各補正パラメータを用いて、色補正が行なわれる。
【００２４】
そして、色変換部１０８から出力されたＶＣｒＣｂデータは、色変換部１０９、領域判別部１１１、およびジェネレーションパターン検出部１１６のそれぞれに入力される。
【００２５】
色変換部１０９に入力されたＶＣｒＣｂデータは、再びＲＧＢ色空間で表わされるデータ（ＲＧＢデータ）に戻され、色補正部１１０によりプリンタに必要なＣＭＹ色空間で表わされるデータ（ＣＭＹＫデータ）に変換される。そして、この変換されたＣＭＹＫデータはＭＴＦ補正部１１２へと送られる。
【００２６】
領域判別部１１１に入力されたＶＣｒＣｂデータは、これに基づいて文字・写真等の領域判別が行なわれ、その結果、エッジ量ＭＴＦデータがＭＴＦ補正部１１２に入力される。さらに、ＣＰＵ１１５で設定されたシャープネスの補正パラメータもＭＴＦ補正部１１２に入力される。
【００２７】
ＭＴＦ補正部１１２に入力されたＣＭＹＫデータは、ここで、エッジ量ＭＴＦデータおよびシャープネスの補正パラメータに基づいてＭＴＦ補正が行なわれる。そして、補正後のＣＭＹＫデータは、プリンタＩ／Ｆ１１３を介してプリンタへと送信される。
【００２８】
次に、ＣＰＵ１１５の動作について簡単に説明する。ユーザによりパネル部１１４から、記憶色補正についての条件等が入力されると、ＣＰＵ１１５は、この入力データおよびジェネレーションパターン検出部１１６からの検出結果を受けて、色変換部において行なう色変換のための補正パラメータを設定する。また、ジェネレーションパターン付加部１１７に対してジェネレーションパターンを付加するか否かの命令を与える。
【００２９】
図２は、図１の色変換部１０８における具体的な色変換の処理内容を説明するための図である。図２を参照して、入力されるＲＧＢ色空間で表わされるＲＧＢデータは、マスキング処理による色変換が行なわれ、最終的にはＶＣｒＣｂ色空間で表わされるＶＣｒＣｂデータに変換される。
【００３０】
ここで、色変換部１０８に示される４つの行列式は、左から順に、通常の標準色変換行列（マスキング係数）、色相調整用行列、彩度調整用行列、および、明度調整用行列である。
【００３１】
標準色変換行列は、原稿の画像が忠実に再現されるように設定されたものである。したがって、この標準色変換行列と、色相調整用行列、彩度調整用行列、および、明度調整用行列との積がとられることにより、色変換処理に、ＣＰＵ１１５から入力される補正パラメータ（明度パラメータΔＶ、彩度パラメータΔＷ、色相パラメータΔ＠）が考慮された適切な調整が行なわれることになる。
【００３２】
具体的な補正パラメータが設定される例については、後述するが、記憶色補正が行なわれない場合の補正パラメータ、即ち、忠実再現パラメータには、ΔＶ＝ΔＷ＝１，Δ＠＝０が設定される。このような忠実再現パラメータが設定されることにより、色相調整用行列、彩度調整用行列、および、明度調整用行列はいずれも単位行列となる。したがって、この場合は標準色変換行列のみにより色変換が行なわれることになる。
【００３３】
図３は、図１のＭＴＦ補正部１１２における具体的なＭＴＦ補正の処理内容を説明するための図である。図３を参照して、ＭＴＦ補正部１１２は、スムージング処理部３０５と、スムージング強度の選択を行なうセレクタ３０１と、エッジ強調の選択を行なうセレクタ３０３と、積算回路３０７と、加算回路３０９とで構成されている。
【００３４】
ここで、スムージング処理部３０５は、スムージング処理１から４の順にスムージングの強度が高くなるスムージングフィルタを４つ備えている。また、セレクタ３０１と３０３は、共通のセレクト信号により出力信号がセレクトされる。
【００３５】
セレクタ３０１の入力Ａ、Ｂ、Ｃ、Ｄにはスムージングの処理が行なわれていないＣＭＹＫデータが直接入力され、入力Ｅ、Ｆ、Ｇ、Ｈにはスムージング部３０５によりそれぞれ強度の異なるスムージング処理が行なわれたＣＭＹＫデータが入力される。一方、セレクタ３０３の入力ＡからＨには、ＥＤＧ１からＥＤＧ８の順にエッジ強調量が小さくなるエッジ強調量データが入力される。
【００３６】
そして、ＣＰＵ１１５から出力された補正パラメータであるシャープネスのパラメータＳＤＡＴＡが、この両セレクタ３０１および３０３の共通のセレクト信号として入力される。ＳＤＡＴＡは、３ビットのデータ（０から７）であり、各セレクタ３０１、３０３の入力信号Ａ〜Ｈのいずれかを選択する。
【００３７】
セレクタ３０３のＹから出力されたエッジ強調量データは、積算回路３０７のＡに入力される。また、領域判別部１１１から出力されたＭＴＦデータ（エッジ量データ）は、積算回路３０７のＢに入力される。そして、これらのデータの積がとられる（Ａ＊Ｂ）。したがって、領域判別部１１１からのＭＴＦデータは、セレクタ３０３で選択されたエッジ強調量データが掛けられることにより、シャープネスパラメータＳＤＡＴＡによって、強調されたり弱められたりする。
【００３８】
エッジ強調等がされ積算回路３０７から出力したＭＴＦデータは、加算回路３０９のＢに入力される。一方、セレクタ３０１のＹから出力されたスムージング処理等の行なわれたＣＭＹＫデータは、加算回路３０９のＡに入力される。
【００３９】
そして、加算回路３０９において、エッジ強調等のされたＭＴＦデータとスムージング処理等のされたＣＭＹＫデータとの和がとられ（Ａ＋Ｂ）、そのデータが、ＭＴＦ補正部１１２の最終的なデータ（ＣＭＹＫデータ）として出力される。
【００４０】
このように、ＭＴＦ補正部１１２においては、ＣＭＹＫデータについて、パネル部１１４からの入力条件等を考慮したシャープネスに関する補正が加味されたＭＴＦ補正が行なわれることになる。
【００４１】
次に、ＣＰＵ１１５において、記憶色の補正を行なうための記憶色補正パラメータが設定される場合について説明する。ここでは、記憶色のうち人の肌色が補正される場合を例に挙げて説明する。画像中の人物の肌色は、その人物の年齢や性別、地域、季節等によってそれぞれに好まれる再現色が異なる。
【００４２】
このため、ユーザは、好みの肌色が再現されるように、パネル部１１４から年齢についての条件や地域についての条件等を入力する。入力された条件を受けて、ＣＰＵ１１５はその条件に合致した記憶色補正パラメータ（ΔＶ、ΔＷ、Δ＠、ＳＤＡＴＡ）を、ジェネレーションパターン検出部１１６の検出結果に応じて設定する。
【００４３】
図４は、ユーザの好みにより再現されるべき肌色画像の明度、彩度、色相、および、シャープネスを示した図である。図４（ａ）に示すように、再現される肌色の画像は、年齢の増加と共に明度（Ｖ）および彩度（Ｗ）が低くなる。また、色相については、年齢が増すに連れて赤みが減りＣｂ軸に近づき（矢印方向）、シャープネスについては、年齢と共に強くなる。したがって、ＣＰＵ１１５において、記憶色パラメータが設定される際には、図３（ａ）に示すような明度、再度、色相、およびシャープネスが再現されるように設定される。
【００４４】
また、図４（ｂ）に示すように、アジア、欧米、アフリカ、および、オセアニアの各地域に応じて、再現されるべき肌色画像の明度（Ｖ）、彩度（Ｗ）、色相、および、シャープネスは異なる。したがって、記憶色補正パラメータとしては、図４（ｂ）に示す明度等が再現されるように設定される。
【００４５】
また、図４（ｃ）に示すように、春、夏、秋、および、冬の各季節に応じても、ユーザに好まれる肌色画像の明度（Ｖ）、彩度（Ｗ）、色相、および、シャープネスが異なる。したがって、記憶色補正パラメータとしては、図４（ｃ）に示す明度等が再現されるように設定される。
【００４６】
さらに、図４（ｄ）に示すように、性別によっても、ユーザに好まれる肌色画像は異なる。したがって、記憶色補正パラメータも、図４（ｄ）に示す明度等が再現されるように設定される。
【００４７】
図５は、図２の標準色変換行列（マスキング係数）が作成される手順を説明するための図である。図５を参照して、ここでは、サンプル画像５００をコピーした出力画像５０５が、サンプル画像５００を忠実に再現したものとなるように、マスキング係数が作成される。
【００４８】
即ち、サンプル画像５００と出力画像５０５とを同一環境下で同一測色計を用いて測定した結果を比較し、これらが同一測定値になるようにマスキング係数の合わせ込みが行なわれる。
【００４９】
具体的には、まず、サンプル画像５００のコピーが行なわれる。即ち、サンプル画像５００がＣＣＤ１０１で読み取られ、そのデータが画像処理部１００で処理される。画像処理された後のデータに基づいてエンジン部５０３で画像が形成され出力される。こうして得られた出力画像５０５と、サンプル画像５００とが同一環境下で同一測色計を用いて測定される。
【００５０】
そして、サンプル画像の測定値１と出力画像の測定値２とが比較され、画像処理部１００の色変換部１０８にフィードバックが掛けられる。この処理が繰り返され、測定値１と測定値２とが一致するようにマスキング係数の合わせ込みが行なわれる。両者の値を一致させることで、出力画像５０５をサンプル画像５００に近づけることが可能となる。
【００５１】
図６は、画像処理装置における処理の流れを示したフローチャートである。本図を参照して、まず、ステップＳ６０１では待機状態となり、コピースタートキーの入力が待たれる。コピースタートキーが入力されると（ステップＳ６０３で“Yes”）、ステップＳ６０５において、補正パラメータを設定するためのプレスキャンが行なわれる。即ち、原稿がＣＣＤ１０１により読取られ、カラー画像データが取得される。
【００５２】
次に、ステップＳ６０７において、取得されたカラー画像データを基に、ジェネレーションパターン検出部１１６によるジェネレーションパターンの検出が行なわれる。検出結果を受けて、ステップＳ６０９において、読取られた原稿がジェネレーションコピーであるか否か、即ち、既に記憶色補正がされたものであるか否かが判断される。
【００５３】
ジェネレーションコピーであると判断された場合は、ステップＳ６１１において、ＣＰＵ１１５により忠実再現パラメータが設定される。つまり、この場合は、既に記憶色補正がされているため、再び記憶色補正は行なわれない。
【００５４】
したがって、明度パラメータΔＶ、再度パラメータΔＷ、色相パラメータΔ＠、およびシャープネスパラメータＳＤＡＴＡには、それぞれ、ΔＶ＝ΔＷ＝１、Δ＠＝０、ＳＤＡＴＡ＝Ｃ（通常のＭＴＦ補正用の定数）が設定されることになる。
【００５５】
そして、ステップＳ６１３において本スキャンが行なわれ、設定された忠実再現パラメータが色変換部１０８およびＭＴＦ補正部１１２で用いられて、記憶色補正の行なわれない通常のコピーが行なわれる。
【００５６】
一方、ステップＳ６０９において、ジェネレーションコピーではないと判断された場合は、ステップＳ６１５において、ＣＰＵ１１５により記憶色補正パラメータが設定される。つまり、この場合は、記憶色補正がされていない原稿であるため、ユーザの希望する記憶色補正が行なわれることになる。
【００５７】
したがって、明度パラメータΔＶ、再度パラメータΔＷ、色相パラメータΔ＠、およびシャープネスパラメータＳＤＡＴＡに、それぞれ、パネル部１１４からのユーザの入力条件に基づいた各値が設定されることになる。
【００５８】
そして、ステップＳ６１７において本スキャンが行なわれ、設定された記憶色補正パラメータが色変換部１０８およびＭＴＦ補正部１１２で用いられて、記憶色補正が行なわれる。記憶色補正が行なわれると、ステップＳ６１９において、ジェネレーションパターン付加部１１７によりジェネレーションパターンが付加される。これにより、次回、この出力された画像のコピーを行なう際には、既に記憶色補正がされたジェネレーションコピーであることを認識させることができる。
【００５９】
以上の処理により、対象となる原稿が既に記憶色補正のされたジェネレーションコピーである場合は、再び記憶色補正をすることなく、通常の忠実な色再現処理が行なわれる。このため、再度の記憶色補正による、色味の不自然な変化や擬似輪郭の発生といった問題が発生しない。
【００６０】
一方、未だ記憶色補正のされていない原稿である場合は、ユーザの条件入力に応じて記憶色補正が行なわれる。したがって、この場合は、通常の記憶色補正と同様にユーザの好みの記憶色に補正された再現画像が得られることになる。
【００６１】
なお、本実施の形態では、記憶色補正として、肌色補正を例に挙げて説明したがこれに限定されるものではない。したがって、肌色の他にも、空の青、草木の緑などが補正されるようにしてもよい。この際、補正対象となる記憶色は１色でもよいし、複数色でもよい。また、記憶色に限られず、画像の内容に応じた特定の色を補正対象としてもよい。
【００６２】
＜変形例＞
次に、本発明の第１の実施の形態における画像処理装置の変形例について説明する。変形例における画像処理装置では、ジェネレーションパターン検出部１１６において検出されるジェネレーションに応じて、適切な補正パラメータが設定される。
【００６３】
即ち、ジェネレーションパターンが検出されたか否かのみによって、補正パラメータが設定されるのではなく、検出されたジェネレーションパターンのジェネレーションによって、異なる補正パラメータが設定されるというものである。
【００６４】
図７は、変形例における画像処理装置の処理の流れを示したフローチャートである。本図を参照して、ステップＳ６０１からステップＳ６０７までの処理は、図６に示したフローチャート処理の流れと同様である。即ち、コピースタートキーがＯＮになると、プレスキャンが行なわれ、ジェネレーションパターンの検出が行なわれる（ステップＳ６０１〜ステップＳ６０７）。
【００６５】
ステップＳ７０９においては、検出されたジェネレーションパターンから、その原稿のジェネレーションが判別される。つまり、ここでは、対象となる原稿からジェネレーションパターンが検出されるか否かのみではなく、検出されたジェネレーションパターンから、その原稿が何代目の原稿であるかまでが判断されることになる。
【００６６】
そして、０世代目、即ち、まだ記憶色補正がされていない原稿であると判断された場合は、ステップＳ６１５において、ＣＰＵ１１５により記憶色補正パラメータ１が設定される。そして、ステップＳ６１７において、本スキャンが行なわれ、ステップＳ６１９において出力画像に１世代目のジェネレーションパターンが付加される。
【００６７】
ステップＳ７０９において、ジェネレーションが１世代目であると判断された場合は、ステップＳ７１５において、ＣＰＵ１１５により記憶色補正パラメータ２が設定される。ここで、記憶色補正パラメータ２は、０世代目において設定された記憶色補正パラメータ１と比較すると、より忠実再現に近いパラメータである。そして、ステップＳ７１７において、本スキャンが行なわれ、ステップＳ７１９において出力画像に２世代目のジェネレーションパターンが付加される。
【００６８】
ステップＳ７０９において、ジェネレーションがその他である場合、即ち、２世代目以降であると判断された場合は、ステップＳ６１１において、ＣＰＵ１１５により忠実再現パラメータが設定される。この場合は、既に２度の記憶色補正が行なわれているため、さらなる記憶色補正は行なわれず、忠実に原稿画像が再現されることになる。そして、ステップＳ６１３において本スキャンが行なわれる。
【００６９】
このように、世代に応じて記憶色補正パラメータの値を変化させることにより、ユーザが希望する画像をより適切に再現することが可能となる。
【００７０】
なお、ここでは、０世代目か１世代目か、あるいは２世代目以降かによって補正パラメータを変化させているが、より詳細に分類して補正パラメータを設定するようにしてもよい。
【００７１】
［第２の実施の形態］
最後に、本発明第２の実施の形態における画像処理装置について説明する。本実施の形態における画像処理装置は、ジェネレーションコピーである場合，即ち、すでに記憶色補正がされている場合、再度の記憶色補正を行なうか否かがユーザの意思により決定されるというものである。
【００７２】
図８は、本発明の第２の実施の形態における画像処理装置の処理の流れを示したフローチャートである。本図を参照して、ステップＳ６０１からステップＳ６０９までの処理は、図６に示したフローチャートの処理の流れと同様である。即ち、コピースタートキーがＯＮになると、プレスキャンが行なわれ、ジェネレーションパターンの検出が行なわれる（ステップＳ６０１〜ステップＳ６０７）。そしてジェネレーションパターンの検出結果を受けて、原稿がジェネレーションコピーであるか否かが判断される（ステップＳ６０９）。
【００７３】
そして、ステップＳ６０９において、ジェネレーションコピーであると判断された場合は、ステップＳ８０１において、パネル部１１４上に「すでに記憶色補正がされています。再補正しますか？」という内容の警告が表示される。この表示を受けたユーザは、記憶色補正を再度行なうか否かをパネル部１１４から選択する。
【００７４】
ユーザによる選択結果が「再補正しない」である場合（ステップＳ８０２で“Yes”）は、ステップＳ６１１において、ＣＰＵ１１５により忠実再現パラメータが設定され、ステップＳ６１３において本スキャンが行なわれる。つまり、設定された忠実再現パラメータが色補正部１０８およびＭＴＦ補正部１１２で用いられて画像処理が行なわれる。
【００７５】
ステップＳ６０９において、ジェネレーションコピーでないと判断された場合、およびステップＳ８０２において、ユーザにより「再補正をする」が選択された場合は、ステップＳ６１５の処理へと進む。そして、ステップＳ６１５において、ＣＰＵ１１５により記憶色補正パラメータが設定され、ステップＳ６１７において本スキャンが行なわれる。そして、ステップＳ６１９において、出力画像にジェネレーションパターンが付加される。
【００７６】
以上の処理によると、パネル部１１４に警告画面が表示されることにより、ユーザは再度記憶色補正を行なうか否かを選択することができる。そして、その選択結果に基づいて、補正パラメータが設定され、記憶色補正あるいは通常の忠実再現処理が行なわれる。このため、よりユーザの希望に沿った出力画像を得ることが可能となる。
【００７７】
なお、ここでも、図７に示したように、ジェネレーションに応じた補正パラメータの設定を行なうようにしてもよい。即ち、ジェネレーションコピーに対してユーザが「再補正をする」を選択した場合、原稿の世代に応じて設定する記憶色補正パラメータを変更することで適切な記憶色補正を行なうようにしてもよい。
【００７８】
今回開示された実施の形態はすべての点で例示であって、制限的なものではないと考えるべきである。本発明の範囲は、上記した説明ではなく特許請求の範囲によって示され、特許請求の範囲と均等の意味及び範囲内ですべての変更が含まれることが意図される。
【図面の簡単な説明】
【図１】  本発明の第１の実施の形態における画像処理装置の全体構成を示す図である。
【図２】  図１の色変換部１０８における具体的な色変換の処理内容を説明するための図である。
【図３】  図１のＭＴＦ補正部１１２における具体的なＭＴＦ補正の処理内容を説明するための図である。
【図４】  ユーザの好みにより再現されるべき肌色画像の明度、彩度、色相、および、シャープネスを示した図である。
【図５】  図２の標準色変換行列式（マスキング係数）が作成される手順を説明するための図である。
【図６】  画像処理装置における処理の流れを示したフローチャートである。
【図７】  変形例における画像処理装置の処理の流れを示したフローチャートである。
【図８】  本発明の第２の実施の形態における画像処理装置の処理の流れを示したフローチャートである。
【符号の説明】
１０１  ＣＣＤ、１０３  Ａ／Ｄ変換部、１０８，１０９  色変換部、１１０色補正部、１１１  領域判別部、１１２  ＭＴＦ補正部、１１４  パネル部、１１５  ＣＰＵ、１１６  ジェネレーションパターン検出部、１１７  ジェネレーションパターン付加部。
【図１】
0004242039.tif 000002
【図２】
0004242039.tif 000003
【図３】
0004242039.tif 000004
【図４】
0004242039.tif 000005
【図５】
0004242039.tif 000006
【図６】
0004242039.tif 000007
【図７】
0004242039.tif 000008
【図８】
0004242039.tif 000009